(57)【要約】【課題】二重化伝送システム及び伝送装置に関し、単一系統の外部回線に対して二重化された伝送装置を有する伝送システムの待機系の伝送装置の正常性を、シミュレータ等の外部装置を設けることなく、常に確認することができるようにする。【解決手段】二重化された伝送装置１１，１４は、外部回線と接続される外部回線伝送部１２，１５と、二系統の伝送装置の間で情報伝送を行うための系間回線伝送部１３，１６とを備え、単一系統の外部回線を外部回線切替器２１により、現用系の伝送装置の外部回線伝送部に接続し、外部回線切替器２１と連動して動作する系間回線切替器２２により、現用系の伝送装置の系間回線伝送部と待機系の伝送装置の外部回線伝送部とを接続する。現用系の伝送装置の系間回線伝送部と待機系の伝送装置の外部回線伝送部との間で系間通信を行い、その通信に基づいて待機系の伝送装置の正常性を確認する。【選択図】      図１
2007049446.tif 000002
【特許請求の範囲】
【請求項１】
単一系統の外部回線に対して現用系及び待機系の二系統の伝送装置を有し、外部回線と接続される外部回線伝送部と、該二系統の伝送装置の間で情報伝送を行うための系間回線伝送部とを各伝送装置に備えた二重化伝送システムにおいて、
前記単一系統の外部回線を、前記二系統の伝送装置のうちの現用系の伝送装置の外部回線伝送部に接続する外部回線切替器と、
前記外部回線切替器と連動して動作し、現用系の伝送装置の系間回線伝送部と前記待機系の伝送装置の外部回線伝送部とを接続する系間回線切替器と、を備え、
前記現用系の伝送装置の系間回線伝送部と前記待機系の伝送装置の外部回線伝送部の間で行われる系間通信に基づいて、待機系の伝送装置の正常性を確認することを特徴とする二重化伝送システム。
【請求項２】
前記系間回線切替器を介して形成される、現用系の伝送装置の系間回線伝送部と前記待機系の伝送装置の外部回線伝送部との接続を、現用系の伝送装置の系間回線伝送部と前記待機系の伝送装置の系間回線伝送部との接続に切り替える外部／系間切替器を備え、
前記外部／系間切替器により、現用系の伝送装置の系間回線伝送部と前記待機系の伝送装置の外部回線伝送部との接続と、現用系の伝送装置の系間回線伝送部と前記待機系の伝送装置の系間回線伝送部との接続とを、定期的に切り替えることを特徴とする請求項１に記載の二重化伝送システム。
【請求項３】
単一系統の外部回線に対して現用系及び待機系の二系統の伝送装置のうちの何れか一方の伝送装置として動作し、外部回線と接続される外部回線伝送部と、他の系統の伝送装置との間で情報伝送を行うための系間回線伝送部とを備えた伝送装置において、
前記単一系統の外部回線を、前記二系統の伝送装置のうちの現用系の伝送装置に接続する外部回線切替器と、
前記外部回線切替器と連動して動作し、現用系の伝送装置の系間回線伝送部と前記待機系の伝送装置の外部回線伝送部とを接続する系間回線切替器と、を備え、
前記待機系の伝送装置の外部回線伝送部は、前記現用系の伝送装置の系間回線伝送部と系間通信を行うことを特徴とする伝送装置。
【請求項４】
前記系間回線切替器を介して形成される、現用系の伝送装置の系間回線伝送部と前記待機系の伝送装置の外部回線伝送部との接続を、現用系の伝送装置の系間回線伝送部と前記待機系の伝送装置の系間回線伝送部との接続に切り替える外部／系間切替器を備えたことを特徴とする請求項３に記載の伝送装置。
【発明の詳細な説明】
【技術分野】
【０００１】
本発明は、二重化伝送システム及び伝送装置に関し、より詳しくは、二重化伝送システムの正常性確認の技術に関し、電力給電運用情報の伝送等、高い信頼度で且つ安定的な情報伝送が要求されるシステムに好適に適用される。
【０００２】
電力給電業務では、広範囲に散在する電力機器の運用情報を中央のコンピューターに伝送する必要があり、情報伝送のネットワークは広大である。情報伝送の重要性から考えると、情報伝送のネットワークの全ての回線を二重化することが好ましいが、回線の二重化には高額な費用が掛かり、また、山間部などではネットワークの末端まで回線を二重化することができない顧客事情もある。
【０００３】
しかし、給電情報等の安定した情報伝送を行うために、少しでも情報伝送のネットワークの信頼度を高める必要があり、回線を通して情報を送受する伝送装置に対しては、ほとんど二重化構成が採用されている。この場合、伝送装置が二系統、回線が一系統の構成で情報伝送が行われるため、二重化構成の伝送装置のどちらか一方を回線切替器により回線に接続して運用が行われる。
【０００４】
回線と接続されていない伝送装置（以後、待機系と記す）は、回線と接続された伝送装置（以後、現用系と記す）が異常となった場合、直ちに現用系に切り替わり、回線切替器により回線に接続されて給電運用情報等の情報の伝送を継続して行わなければならない。このため、待機系の正常性（健全性）の確認を常時行っておくことが要求される。
【背景技術】
【０００５】
従来の待機系の正常性確認を行うためのシステム構成を図５に示す。同図において、１１は第１の系統の情報伝送装置（以下、情報伝送装置１系と記す）、１２は情報伝送装置１系の外部回線伝送部、１３は情報伝送装置１系の系間回線伝送部、１４は第２の系統の情報伝送装置（以下、情報伝送装置２系と記す）、１５は情報伝送装置２系の外部回線伝送部、１６は情報伝送装置２系の系間回線伝送部、２１は外部回線切替器、３１は上位装置、４１は外部回線、４２はモデム等の伝送機器、５１はシミュレータである。
【０００６】
待機系の情報伝送装置２系の外部回線伝送部１５は、外部回線切替器２１により外部回線４１から切り離されているため、通常時は使用されていない。そのため、待機系の情報伝送装置２系の外部回線伝送部１５が故障しても、待機系の情報伝送装置１４自身でこの外部回線伝送部１５の故障を検出することができず、待機系の情報伝送装置１４が現用系に切り替えられて使用開始されたときに初めて故障が発覚し、情報伝送が正常に行われない等、情報伝送の信頼性を損う一因となっていた。
【０００７】
そこで、待機系の情報伝送装置１４の正常性（健全性）を確認するために、待機系の情報伝送装置１４の外部回線伝送部１５にシミュレータ５１を接続し、このシミュレータ５１と待機系の情報伝送装置１４とで通信を行わせ、該通信結果を基に待機系の情報伝送装置１４の動作の正常性（健全性）の確認を行っていた。
【０００８】
また、本発明に関連する先行技術文献として下記の特許文献１には、二重化データ通信システムにおいて、現用系から予備系に切り替えた場合、回線の接続処理をやり直さなければならなかった点を解決するため、現用系は回線の接続終了後、予備系に回線の擬似接続を指示し、予備系はこれに応じて回線の擬似接続を行うことにより、切替え後の回線の接続処理を不要とした二重化制御方式について記載されている。
【特許文献１】特公平６−３６５１９号公報
【発明の開示】
【発明が解決しようとする課題】
【０００９】
前述のように、伝送装置が二系統、回線が一系統の伝送システムにおいて、待機系の伝送装置の正常性（健全性）を確認するために、待機系の伝送装置の外部回線伝送部にシミュレータを接続し、このシミュレータと待機系の伝送装置との間で通信を行わせて待機系の伝送装置の正常性（健全性）を確認していたので、シミュレータを伝送装置毎に設けなければならず、また、シミュレータの設置スペースを確保する必要があるという問題があった。
【００１０】
本発明は、シミュレータを別個の装置として設置することなく、待機系の伝送装置の正常性（健全性）を常に確認することができ、また、現用系の伝送装置と待機系の伝送装置との間で情報伝送を行う系間回線伝送部、及び伝送装置における外部回線との情報伝送のための外部回線伝送部、の両伝送部の正常性（健全性）を常に確認することができる二重化伝送システム及び伝送装置を提供することを目的とする。
【課題を解決するための手段】
【００１１】
本発明の二重化伝送システムは、（１）単一系統の外部回線に対して現用系及び待機系の二系統の伝送装置を有し、外部回線と接続される外部回線伝送部と、該二系統の伝送装置の間で情報伝送を行うための系間回線伝送部とを各伝送装置に備えた二重化伝送システムにおいて、前記単一系統の外部回線を、前記二系統の伝送装置のうちの現用系の伝送装置の外部回線伝送部に接続する外部回線切替器と、前記外部回線切替器と連動して動作し、現用系の伝送装置の系間回線伝送部と前記待機系の伝送装置の外部回線伝送部とを接続する系間回線切替器と、を備え、前記現用系の伝送装置の系間回線伝送部と前記待機系の伝送装置の外部回線伝送部の間で行われる系間通信に基づいて、待機系の伝送装置の正常性を確認することを特徴とする。
【００１２】
また、（２）前記系間回線切替器を介して形成される、現用系の伝送装置の系間回線伝送部と前記待機系の伝送装置の外部回線伝送部との接続を、現用系の伝送装置の系間回線伝送部と前記待機系の伝送装置の系間回線伝送部との接続に切り替える外部／系間切替器を備え、前記外部／系間切替器により、現用系の伝送装置の系間回線伝送部と前記待機系の伝送装置の外部回線伝送部との接続と、現用系の伝送装置の系間回線伝送部と前記待機系の伝送装置の系間回線伝送部との接続とを、定期的に切り替えることを特徴とする。
【００１３】
また、本発明の伝送装置は、（３）単一系統の外部回線に対して現用系及び待機系の二系統の伝送装置のうちの何れか一方の伝送装置として動作し、外部回線と接続される外部回線伝送部と、他の系統の伝送装置との間で情報伝送を行うための系間回線伝送部とを備えた伝送装置において、前記単一系統の外部回線を、前記二系統の伝送装置のうちの現用系の伝送装置に接続する外部回線切替器と、前記外部回線切替器と連動して動作し、現用系の伝送装置の系間回線伝送部と前記待機系の伝送装置の外部回線伝送部とを接続する系間回線切替器と、を備え、前記待機系の伝送装置の外部回線伝送部は、前記現用系の伝送装置の系間回線伝送部と系間通信を行うことを特徴とする。
【００１４】
また、（４）前記系間回線切替器を介して形成される、現用系の伝送装置の系間回線伝送部と前記待機系の伝送装置の外部回線伝送部との接続を、現用系の伝送装置の系間回線伝送部と前記待機系の伝送装置の系間回線伝送部との接続に切り替える外部／系間切替器を備え、前記外部／系間切替器により、現用系の伝送装置の系間回線伝送部と前記待機系の伝送装置の外部回線伝送部との接続と、現用系の伝送装置の系間回線伝送部と前記待機系の伝送装置の系間回線伝送部との接続とを、定期的に切り替えることを特徴とする。
【発明の効果】
【００１５】
本発明は、伝送装置の中に組み込み可能な外部回線切替器及び系間回線切替器を使用し、待機系の外部回線伝送部と現用系の系間回線伝送部とを接続し、待機系の外部回線伝送部を系間通信として使用することにより、シミュレータ等の外部装置を接続することなく、待機系の伝送装置の正常性（健全性）を常に確認することができ、外部装置が不要であるためその分のコストダウン及び装置設置スペースの縮小化を図ることができる。
【００１６】
また、外部／系間切替器を設け、現用系の伝送装置の系間回線伝送部と、待機系の伝送装置の外部回線伝送部又は系間回線伝送部との接続を切り替えることにより、待機系の伝送装置の系間回線伝送部の正常性（健全性）を確認することができ、信頼度の高い伝送システムを構築することができる。
【発明を実施するための最良の形態】
【００１７】
図１は本発明による二重化伝送装置の正常性確認のシステム構成を示す。同図において、１１は情報伝送装置１系、１２は情報伝送装置１系の外部回線伝送部、１３は情報伝送装置１系の系間回線伝送部、１４は情報伝送装置２系、１５は情報伝送装置２系の外部回線伝送部、１６は情報伝送装置２系の系間回線伝送部、２１は外部回線切替器、２２は系間回線切替器である。
【００１８】
同図の（ａ）は情報伝送装置１系１１が現用系のときの系間接続の接続経路、同図の（ｂ）は情報伝送装置２系１４が現用系のときの系間接続の接続経路を示している。同図に示すように系間回線切替器２２を設け、該系間回線切替器２２が外部回線切替器２１と連動して動作するよう構成する。
【００１９】
情報伝送装置１系１１が現用系として動作しているときは、同図（ａ）に示すように、外部回線切替器２１と系間回線切替器２２とにより、待機系の情報伝送装置２系１４の外部回線伝送部１５と現用系の情報伝送装置１系１１の系間回線伝送部１３との間に接続路を形成し、該接続経路を介して情報伝送装置１系１１と情報伝送装置２系１４との間の系間通信を実施させる。そして該系間通信の正常性を判定することにより、シミュレータ等の外部装置を設置することなく、待機系の情報伝送装置１４の外部回線伝送部１５の正常性の確認を行う。
【００２０】
情報伝送装置２系１４が現用系として動作している場合は、同図（ｂ）に示すように、外部回線切替器２１と系間回線切替器２２とにより、待機系の情報伝送装置１系１１の外部回線伝送部１２と現用系の情報伝送装置２系１４の系間回線伝送部１６とが接続されるよう接続路を形成し、該接続路を介して情報伝送装置１系１１と情報伝送装置２系１４との間の系間通信を実施させ、待機系の情報伝送装置１系１１の外部回線伝送部１２の正常性確認を行う。
【００２１】
しかし、図１に示した構成のみでは、待機系の情報伝送装置１４（又は１１）において外部回線伝送部１５（又は１２）が系間通信に使用されるため、待機系として運転している最中は、待機系の情報伝送装置１４（又は１１）の系間回線伝送部１６（又は１３）が使用されない。そのため、待機系の情報伝送装置１４（又は１１）が現用系に切り替わったときに系間回線伝送部１６（又は１３）が初めて使用され、そのタイミングで系間回線伝送部１６（又は１３）の故障が検出されるという問題点が生じる。
【００２２】
そこで本発明は図２に示すように、現用系の情報伝送装置１１（又は１４）の系間回線伝送部１３（又は１６）の接続相手を、待機系の情報伝送装置１４（又は１１）の系間回線伝送部１６（又は１３）と外部回線伝送部１５（又は１２）とに切り替える外部／系間切替器２３を更に設け、該外部／系間切替器２３により、定期的に系間回線伝送部１６（又は１３）と外部回線伝送部１５（又は１２）とを切り替えることにより、系間回線伝送部１６（又は１３）及び外部回線伝送部１５（又は１２）の両伝送部の健全性を常に確認することができる。
【００２３】
図２の（ａ）は、現用系の情報伝送装置１１の系間回線伝送部１３と待機系の情報伝送装置１４の外部回線伝送部１５とを接続した状態を示し、図２の（ｂ）は、現用系の情報伝送装置１１の系間回線伝送部１３と待機系の情報伝送装置１４の系間回線伝送部１６とを接続した状態を示している。このように、外部／系間切替器２３により、図２の（ａ）の状態と（ｂ）の状態とを交互に切り替え、現用系の系間回線伝送部と待機系の外部回線伝送部との接続、及び現用系の系間回線伝送部と待機系の系間回線伝送部との接続を、交互に切替える。これにより、待機系の外部回線伝送部及び系間回線伝送部の両方の健全性確認が可能となる。
【００２４】
図３−１及び図３−２は、外部回線切替部２１と連動して動作する系間回線切替部２２を備えた回線一重・伝送装置二重の伝送システムの一実施例を示す。図３−１及び図３−２において、１１は情報伝送装置１系であり、１４は情報伝送装置２系である。１２及び１５は、それぞれ情報伝送装置１系１１及び情報伝送装置２系１４に内蔵された外部回線伝送部である。
【００２５】
情報伝送装置１１及び情報伝送装置１４の主要機能は、上位装置３１に情報を伝送することである。情報伝送装置１１及び情報伝送装置１４は、二重化装置として同様な処理動作を実行し、いずれか一方が現用系として動作し、他方は待機系として動作する。
【００２６】
情報伝送装置１１と情報伝送装置１４との現用系／待機系の切り替えは、外部回線伝送部１２及び外部回線伝送部１５に接続された伝送線を、外部回線切替器２１により切り替えて外部回線４１に接続することにより行われ、外部回線４１に接続され上位装置３１へ情報伝送可能な外部回線伝送部を収容している情報伝送装置側が現用系として動作する。外部回線切替器２１によって外部回線４１から切り離された外部回線伝送部を収容している情報伝送装置は待機系として動作する。
【００２７】
図３−１は、情報伝送装置１１が現用系、情報伝送装置１４が待機系として動作している状態を示している。図３−２は、情報伝送装置１４が現用系、情報伝送装置１１が待機系として動作している状態を示している。図３−１では外部回線切替器２１の内部の接続経路が平行に、図３−２では外部回線切替器２１の内部の接続経路が交差するように接続経路の切り替えが行われる。
【００２８】
外部回線切替器２１の切替動作と連動して系間回線切替器２２の接続経路が切り替わる。外部回線切替器２１及び系間回線切替器２２は、共に情報伝送装置内に搭載するよう構成することができる。外部回線切替器２１及び系間回線切替器２２の連動動作により、待機系の情報伝送装置の外部回線伝送部と現用系の系間回線対応部とが接続される。
【００２９】
待機系の情報伝送装置は、外部回線伝送部を現用系との系間通信に使用することにより、外部回線伝送部の健全性確認が可能となる。図３−１では、情報伝送装置１４の外部回線伝送部１５と情報伝送装置１１の系間回線伝送部１３とが接続されている状態を示している。図３−２では、情報伝送装置１１の外部回線伝送部１２と情報伝送装置１４の系間回線伝送部１６とが接続されている状態を示している。
【００３０】
図４−１及び図４−２は、系間回線切替器及び外部回線切替器を備えた回線一重・伝送装置二重の伝送システムの第２の実施例を示す。この実施例は図３−１及び図３−２に示した実施例に、外部／系間切替器を付加した実施例であり、同図において２３は情報伝送装置１系１１用の外部／系間切替器であり、２４は情報伝送装置２系１４用の外部／系間切替器である。
【００３１】
１系用外部／系間切替器２３と２系用外部／系間切替器２４とは共に連動して動作し、常時、平行接続経路／交差接続経路の交互切り替えを行う。また、外部／系間切替器２３及び２４は共に情報伝送装置内に搭載する構成とすることができる。
【００３２】
図４−１は、外部／系間切替器２３及び２４が共に交差接続した状態を示している。待機系の情報伝送装置１４の外部回線伝送部１５が、外部回線切替器２１と系間回線切替器２２にて、現用系の外部／系間切替器２３に接続され、さらに現用系の情報伝送装置１１の系間回線伝送部１３に接続される。この状態で、現用系の情報伝送装置１１の系間回線伝送部１３は、待機系の情報伝送装置１４の外部回線伝送部１５と系間通信を行う。
【００３３】
図４−２は、外部／系間切替器２３及び２４が共に平行接続した状態を示している。待機系の情報伝送装置１４の外部回線伝送部１５が、外部回線切替器２１と系間回線切替器２２とにより、現用系の外部／系間切替器２３に接続されているが、現用系の外部／系間切替器２３は、待機系の外部／系間切替器２４に接続を切り替えているため、待機系の情報伝送装置１４の外部回線伝送部１５は切り離された状態となっている。なお、このとき、現用系の外部／系間切替器２３と待機系の外部／系間切替器２４とにより、現用系の情報伝送装置１１の系間回線伝送部１３が、待機系の情報伝送装置１４の系間回線伝送部１６と接続され、系間通信が行われる。
【図面の簡単な説明】
【００３４】
【図１】本発明による二重化伝送装置の正常性確認のシステム構成を示す図である。
【図２】本発明による外部／系間切替器を設けた二重化伝送装置の正常性確認のシステム構成を示す図である。
【図３−１】本発明による回線一重・伝送装置二重の伝送システムの正常性確認の実施例を示す図である。
【図３−２】本発明による回線一重・伝送装置二重の伝送システムの正常性確認の実施例を示す図である。
【図４−１】本発明による外部／系間切替器を付加した回線一重・伝送装置二重の伝送システムの正常性確認の実施例を示す図である。
【図４−２】本発明による外部／系間切替器を付加した回線一重・伝送装置二重の伝送システムの正常性確認の実施例を示す図である。
【図５】従来の待機系の正常性確認を行うためのシステム構成を示す図である。
【符号の説明】
【００３５】
１１  情報伝送装置１系本体
１２  情報伝送装置１系の外部回線伝送部
１３  情報伝送装置１系の系間回線伝送部
１４  情報伝送装置２系本体
１５  情報伝送装置２系の外部回線伝送部
１６  情報伝送装置２系の系間回線伝送部
２１  外部回線切替器
２２  系間回線切替器
２３  １系用外部／系間切替器
２４  ２系用外部／系間切替器
３１  上位装置
４１  外部回線
４２  モデム等
【図１】
2007049446.tif 000003
【図２】
2007049446.tif 000004
【図３−１】
2007049446.tif 000005
【図３−２】
2007049446.tif 000006
【図４−１】
2007049446.tif 000007
【図４−２】
2007049446.tif 000008
【図５】
2007049446.tif 000009